(57)【要約】  本考案はサイロ（Ｓｉｌｏ）やホッパー（Ｈｏｐｐｅｒ）などのような粉体タンクの壁面を打撃して粉体タンクの機能が低下されることを防止するためのエアーノッカーに関し、エアーノッカーのシリンダーヘッドに磁気ピストンが打撃した後復帰する時の衝撃を最小化させることによって、従来の問題点を解決しようとする目的を有する。また、本考案の他の付加目的としては、シリンダーヘッド内で固定プレートに隙間が発生しないようにして、エアの流失を防止することによって、磁気ピストンの打撃圧力を保持させるようにする目的と、磁気ピストンが復帰する時の衝撃を最小化することによって、振動及び騷音が発生することを防止することにその目的がある。上記のような目的を果たすための本考案の課題の解決手段としては、シリンダーヘッドの内部に磁気ピストンが復帰する時に発生する圧力を緩衝させる緩衝リングを備えることによって、シリンダーヘッドに復帰圧力が発生することを防止することによって、本考案の目的を達することができる。
2011523904.tif 000002
【特許請求の範囲】
【請求項１】
シリンダー（１０）の内部に磁気ピストン（１１０）がスプリング（Ｓ）の弾性を受けるように備えられ、シリンダー（１０）の上部にはシリンダーヘッド（１００）がボルトによって結合され、上記シリンダーヘッド（１００）の内部には磁気ピストン（１１０）を密着させるための固定プレート（１２０）が備えられたエアーノッカー（１）において、
上記磁気ピストン（１１０）の端部に挿入溝（１１１）を形成し、上記挿入溝（１１１）には磁気ピストン（１１０）が粉体タンク（２）を打撃する時に発生する衝撃や騷音を減少させるために緩衝材（１１２）を備えることを特徴とする衝撃を最小化させるエアーノッカー。
【発明の詳細な説明】
【技術分野】
【０００１】
本考案はサイロ（Ｓｉｌｏ）やホッパー（Ｈｏｐｐｅｒ）などのような粉体タンクの壁面を打撃して粉体タンクの機能が低下されることを防止するためのエアーノッカーに関し、さらに詳しくは、エアーノッカーが粉体タンクの壁面を打撃する時に発生する振動によってエアーノッカーの機能が低下されたり、または組み立て部位の破損を防止するようにするための衝撃を最小化させるためのエアーノッカーに関する。
【背景技術】
【０００２】
一般に、飼料などの粉粒体を保存及び輸送するサイロ（Ｓｉｌｏ）やホッパー（Ｈｏｐｐｅｒ）、サイクロン（Ｃｙｃｌｏｎｅ）などのような粉体タンクの内壁面には粉粒体が附着されたり、ラットホール現象が発生してその機能が低下される問題が発生し、これを防止するために粉体タンクの壁面を高圧のハンマーで打撃して振動を加えることによって、粉粒体の附着またはラットホール現象を防止している。
【０００３】
このための従来のエアーノッカー１は、エアタンクの一側端に高圧のエアを注入及び排気できるエア管が内部と連通されるように形成され、上記エア管が連通された部位の内部には金属材の固定プレートを内壁面と離間させて設置し、他側のエアタンクの内部には圧縮スプリングに結合された磁気ピストンを備える。
【０００４】
従って、普段は上記磁気ピストンが磁力によって固定プレートに堅固に密着して固定されている状態になり、エア管を通じて高圧の圧縮空気をエアタンクの内部に注入すると、エアタンクの内部の圧力が漸次に上昇して磁気ピストンの磁力を越すようになる。
【０００５】
磁気ピストンは固定プレートから離れて急激に押し寄せられ、押し寄せられた磁気ピストンはエアタンクに結合された粉体タンク２の壁面を打撃して振動を加えることによって、粉体タンクの内壁面に粉粒体が附着されることを防止する。
【０００６】
また、再びエアタンクのエアを連通管に排気すると、エアタンクの内部の圧力が低下し、且つ磁気ピストンは圧縮スプリングの弾性力によって原状態に復帰して固定プレートに密着して固定される。
【０００７】
しかし、上記のような従来のエアーノッカー１は、ピストンが粉体タンク２を打撃した後復帰する時、シリンダーの内部に備えられたスプリングの弾性力によって、エアーノッカー１の固定プレートとシリンダーヘッドに強い復帰圧力が発生し、このような圧力はシリンダーヘッドを結合しているボルトの結合力を弱化させる問題点と、シリンダー内で固定プレートの間隔が発生されることによって、騷音が発生する問題点があった。
【０００８】
また、上記のように、シリンダーヘッド内で固定プレートに隙間が発生すると、磁気ピストンを固定プレートから分離するためのエアが開かれた隙間の間に流失されるため磁気ピストンの打撃圧力を弱化させる問題点が発生した。
【０００９】
また、上記のような問題点は、エアーノッカー１の容量が大きいほどさらに早く進行するので、大容量のエアーノッカー１を製作するのに諸問題点が発生して大容量のエアーノッカーを製作できない要因となった。
【発明の概要】
【発明が解決しようとする課題】
【００１０】
本考案は上記のような従来のエアーノッカーで発生する問題点を解決するために考案されたもので、磁気ピストンが復帰する時の衝撃を最小化することによって、振動及び騷音が発生することを防止することにその目的がある。
【課題を解決するための手段】
【００１１】
シリンダーの内部に磁気ピストンがスプリングの弾性を受けるように備えられ、シリンダーの上部にはシリンダーヘッドがボルトによって結合され、上記シリンダーヘッドの内部には磁気ピストンを密着させるための固定プレートが備えられたエアーノッカーにおいて、上記磁気ピストンの端部に挿入溝を形成し、上記挿入溝には磁気ピストンが粉体タンクを打撃する時に発生する衝撃や騷音を減少させるために緩衝材を備えて衝撃を最小化させるエアーノッカーを提供することができる。
【発明の効果】
【００１２】
本考案はエアーノッカーが粉体タンクを打撃した後復帰する時に発生する復帰圧力を最小化させてエアーノッカーのシリンダーヘッドに発生する振動を防止することによって、シリンダーヘッドを固定するボルトの結合力を弱化させることを防止する效果を奏し、シリンダーヘッド内に備えられた固定プレートに隙間が発生することを防止してエアの流失を防止することによって、磁気ピストンの打撃圧力を保持する效果を奏する。
【図面の簡単な説明】
【００１３】
【図１】本考案による実施形態の使用状態を示す概路図である。
【図２】本考案による実施形態の構成を示す分解斜視図である。
【図３】本考案による実施形態の構成を示す結合断面図である。
【図４】本考案の他の実施形態を示す断面図である。
【発明を実施するための形態】
【００１４】
シリンダー１０の内部に磁気ピストン１１０がスプリングＳの弾性を受けるように備えられ、シリンダー１０の上部にはシリンダーヘッド１００がボルトによって結合され、上記シリンダーヘッド１００の内部には磁気ピストン１１０を密着させるための固定プレート１２０が備えられたエアーノッカー１において、上記磁気ピストン１１０の端部に挿入溝１１１を形成し、上記挿入溝１１１には磁気ピストン１１０が粉体タンク２を打撃する時に発生する衝撃や騷音を減少させるために緩衝材１１２を備える。
【００１５】
本考案を実施するための具体的な内容を添付図面による実施形態を通じて詳しく説明すれば次の通りである。
【００１６】
図面において、図１は本考案による実施形態の使用状態を示す概路図であり、図２は本考案による実施形態の構成を示す分解斜視図であり、図３は本考案による実施形態の構成を示す結合断面図であり、図４は本考案の他の実施形態を示す断面図である。
【００１７】
従って、本考案による実施形態の構成を図２及び図３を参照して説明すると、シリンダー１０の内部に磁気ピストン１１０がスプリングＳの弾性を受けるように備えられ、シリンダー１０の上部にはシリンダーヘッド１００がボルトによって結合され、上記シリンダーヘッド１００の内部には磁気ピストン１１０を密着させるための固定プレート１２０が備えられたエアーノッカー１において、上記固定プレート１２０の上部に磁気ピストン１１０が復帰する時の衝撃を減少させる緩衝リング１３０を備える。
【００１８】
この時、本考案の他の実施形態としては、図４に示すように、固定プレート１２０の上下に緩衝リング１３１、１３２を備えてもよく、上記緩衝リング１３１、１３２の中、上部に位置する緩衝リング１３１の厚さが下部に位置する緩衝リング１３２の厚さより厚いことが好ましい。
【００１９】
さらに他の実施形態としては、上記磁気ピストン１１０の端部に挿入溝１１１を形成し、上記挿入溝１１１には磁気ピストン１１０が粉体タンク２を打撃する時に発生する衝撃や騷音を減少させるために緩衝材１１２を備える。
【００２０】
上記のように構成される本考案はエアーノッカー１が粉体タンク２の外壁に固定されて、粉体タンク２の壁面を打撃しようとすれば、図示しないエア供給管からシリンダーの内部に圧力が発生し、この圧力は磁気ピストン１１０と固定プレート１２０の密着圧力及びスプリングＳの圧力を勝って、磁気ピストン１１０が粉体タンク２の壁面を打撃する。
【００２１】
この時、シリンダー１０の内部に供給されるエア圧力は持続的に行われるのではなく、磁気ピストン１１０がスプリングＳの弾性によって復帰するように所定の差を有して行われ、シリンダー１０の内部に供給されるエア圧力が弱化される時には磁気ピストン１１０がスプリングＳの弾性力によって復帰し、このような復帰圧力は固定プレート１２０に伝達される。
【００２２】
従って、固定プレート１２０は磁気ピストン１１０の復帰圧力を受けることになり、この復帰圧力は固定プレート１２０の上部に位置する緩衝リング１３０によって復帰衝撃が減少されるので、磁気ピストン１１０の復帰圧力がシリンダーヘッドに伝達されない。
【００２３】
また、上記緩衝リング１３０はシリンダーヘッド１００内で固定プレート１２０を押す役割を果たし、同時に、シリンダーヘッド１００内で気密を保持させる役割を果たすので、固定プレート１２０がシリンダーヘッド１００内で隙間が発生することを防止し、エアの流失を防止する。
【００２４】
そこで、シリンダーヘッド１００内に備えられた緩衝リング１３０によって磁気ピストン１１０が復帰する時に発生する復帰圧力を解消することによって、磁気ピストン１１０が常に正位置で粉体タンク２を打撃して打撃圧力を保持し、シリンダーヘッド１００の破損を防止する。
【００２５】
また、本考案の他の実施形態を通じて実現される構成は、磁気ピストン１１０がスプリングＳの復元力によって復帰する時、磁気ピストン１１０と固定プレート１２０が互いに衝突する時に発生する打撃圧力と騷音を解消できるもので、本考案のまた他の実施形態を通じて実現される構成は、磁気ピストン１１０が粉体タンク２を打撃する時に磁気ピストン１１０と粉体タンク２が衝突する衝撃及び騷音を減少させることができる。
（産業上の利用の可能性）
【００２６】
従って、本考案は、エアーノッカーが粉体タンクを打撃した後復帰する時に発生する復帰圧力を最小化させて、エアーノッカーのシリンダーヘッドに発生する振動を防止することによって、シリンダーヘッドを固定するボルトの結合力を弱化させることを防止する效果があり、シリンダーヘッド内に備えられた固定プレートに隙間が発生することを防止することによってエアの流失を防止して、磁気ピストンの打撃圧力を保持する效果があって、産業上の利用可能性が非常に高い技術である。
【符号の説明】
【００２７】
１：エアーノッカー  
１０：シリンダー
１００：シリンダーヘッド  
１１０：磁気ピストン
１２０：固定プレート  
１３０：緩衝リング

【図１】
2011523904.tif 000003
【図２】
2011523904.tif 000004
【図３】
2011523904.tif 000005
【図４】
2011523904.tif 000006
【国際調査報告】
2011523904.tif 000007
2011523904.tif 000008
2011523904.tif 000009
2011523904.tif 000010